(57)【要約】改質器３０は、水蒸気を用いてメタンガスを水素ガスに改質する。燃料電池スタック３４は、改質器３０によって改質された水素ガスと空気に基づいて電力を発生する。燃料電池スタック３４から排出された水素ガスおよび空気に基づく燃焼ガスの熱は、低温域熱交換器１６によって空気に伝えられる。また、燃料電池スタック３４の輻射熱は、低温域熱交換器１６の後段に設けられた高温域熱交換器２０によって空気に伝えられる。
2015068479.tif 000002
【特許請求の範囲】
【請求項１】
水蒸気を用いて燃料ガスを水素ガスに改質する改質器、  前記改質器によって改質された水素ガスと有酸素ガスとに基づいて電力を発生する燃料電池スタック、  前記燃料電池スタックから排出された水素ガスおよび有酸素ガスに基づく燃焼ガスの熱を前記有酸素ガスに伝える第１熱交換器、および  前記第１熱交換器の後段に設けられ、前記燃料電池スタックの輻射熱を前記有酸素ガスに伝える第２熱交換器を備える、燃料電池モジュール。
【請求項２】
前記改質器および前記第２熱交換器の少なくとも一方は前記燃料電池スタックと前記第１熱交換器との間に設けられて前記輻射熱の前記第１熱交換器への伝播を遮る、請求項１記載の燃料電池モジュール。
【請求項３】
前記改質器および前記第２熱交換器の少なくとも一方と前記第１熱交換器との間に設けられて前記輻射熱の前記第１熱交換器への伝播をさらに遮る断熱材をさらに備える、請求項２記載の燃料電池モジュール。
【請求項４】
前記燃料電池スタック、前記改質器および前記第２熱交換器を収める断熱性のハウジングをさらに備え、  前記第１熱交換器は前記ハウジングの外側に設けられる、請求項１記載の燃料電池モジュール。
【請求項５】
前記第１熱交換器は、前記有酸素ガスを流す第１伝熱管、および前記第１伝熱管の近傍に配置されて前記燃焼ガスを流す第２伝熱管を含む、請求項４記載の燃料電池モジュール。
【請求項６】
前記第２伝熱管は前記第１伝熱管よりも前記ハウジング側に設けられる、請求項５記載の燃料電池モジュール。
【請求項７】
前記第１熱交換器および前記第２熱交換器の少なくとも一方は前記燃料ガスに対する熱伝導を追加的に行う、請求項１ないし６のいずれかに記載の燃料電池モジュール。
【発明の詳細な説明】
【技術分野】
【０００１】  この発明は、燃料電池モジュールに関し、特に、有酸素ガスと改質器によって改質された水素ガスとに基づいて電力を発生する、燃料電池モジュールに関する。
【背景技術】
【０００２】  この種の燃料電池モジュールの一例が特許文献１に開示されている。この背景技術によれば、燃料電池スタックは、発電セルとセパレータとを交互に多数積層して構成され、燃料改質装置とともに断熱ハウジング内に設置される。燃料改質装置は、内部に改質触媒を充填した複数の改質器と、これら改質器の間に介在された複数の燃料熱交換器とによって構成される。燃料熱交換器は、燃料電池スタックからの排ガスおよび輻射により、改質反応に必要な熱を得る。これによって、改質時の吸熱反応が燃料電池スタックに及ぼす熱的影響を極力回避することができる。
【先行技術文献】
【特許文献】
【０００３】
【特許文献１】特開２００７−８０７６０号公報
【発明の概要】
【発明が解決しようとする課題】
【０００４】  しかし、背景技術では、燃料電池スタックの周囲に全ての熱交換器が設置されるため、燃料電池スタックが必要以上に熱を取られ、燃料電池スタック温度が動作温度を保てないおそれがある。また、熱交換器の配置によっては燃料電池スタックが部分的に低温にさらされ、燃料電池スタックの温度分布がばらつくおそれがある。さらに、熱交換器および改質器に影響を及ぼす熱のほとんどは燃料電池スタックからの輻射熱であり、排ガスの熱を熱交換および吸熱反応に上手く生かすことができない。その結果、排ガスの熱は高温を保ったままハウジング外へ放出されることとなり、熱的損失が増大する。【０００５】  それゆえに、この発明の主たる目的は、燃料電池スタックの動作温度を確保でき、かつ燃料電池スタックから発生した熱の損失を抑制することができる、燃料電池モジュールを提供することである。
【課題を解決するための手段】
【０００６】  この発明に従う燃料電池モジュール(10：実施例で相当する参照符号。以下同じ)は、水蒸気を用いて燃料ガスを水素ガスに改質する改質器(30)、改質器によって改質された水素ガスと有酸素ガスとに基づいて電力を発生する燃料電池スタック(34)、燃料電池スタックから排出された水素ガスおよび有酸素ガスに基づく燃焼ガスの熱を有酸素ガスに伝える第１熱交換器(16)、および第１熱交換器の後段に設けられ、燃料電池スタックの輻射熱を有酸素ガスに伝える第２熱交換器(20)を備える。【０００７】  好ましくは、改質器および第２熱交換器の少なくとも一方は燃料電池スタックと第１熱交換器との間に設けられて輻射熱の第１熱交換器への伝播を遮る。【０００８】  さらに好ましくは、改質器および第２熱交換器の少なくとも一方と第１熱交換器との間に設けられて輻射熱の第１熱交換器への伝播をさらに遮る断熱材(40)がさらに備えられる。【０００９】  好ましくは、燃料電池スタック、改質器および第２熱交換器を収める断熱性のハウジング(12)がさらに備えられ、第１熱交換器はハウジングの外側に設けられる。【００１０】  さらに好ましくは、第１熱交換器は、有酸素ガスを流す第１伝熱管(16p1)、および第１伝熱管の近傍に配置されて燃焼ガスを流す第２伝熱管(16p2)を含む。【００１１】  より好ましくは、第２伝熱管は第１伝熱管よりもハウジング側に設けられる。【００１２】  好ましくは、第１熱交換器および第２熱交換器の少なくとも一方は燃料ガスに対する熱伝導を追加的に行う。
【発明の効果】
【００１３】  第１熱交換器は燃焼ガスの熱を利用する一方、第２熱交換器は燃料電池スタックの輻射熱を利用する。また、第２熱交換器は第１熱交換器の後段に設けられる。つまり、第１熱交換器は、燃料電池スタックの輻射熱の影響が小さい場所に配置され、低温域で熱交換を行うことを想定する。これに対して、第２熱交換機は、燃料電池スタックの輻射熱の影響が大きい場所に配置され、高温域で熱交換を行うことを想定する。【００１４】  低温域の熱交換を想定する第１熱交換器を燃料電池スタックの輻射熱の影響が小さい場所に配置することで、燃料電池スタックから必要以上に熱が奪われる現象、ひいてはそれに起因する燃料電池スタック内の温度分布が拡大する現象が抑えられる。また、高温域の熱交換を想定する第２熱交換器を燃料電池スタックの輻射熱の影響が大きい場所に配置することで、燃料電池スタックの動作温度と有酸素ガスの温度との差が縮められる。これによって、燃料電池スタックの動作温度を確保することができる。さらに、低温域の熱交換に燃焼ガスを利用することで、燃料電池スタックから発生した熱の損失を抑制することができる。【００１５】  この発明の上述の目的，その他の目的，特徴および利点は、図面を参照して行う以下の実施例の詳細な説明から一層明らかとなろう。
【図面の簡単な説明】
【００１６】
【図１】この実施例の燃料電池モジュールの構成を示す平面図である。
【図２】（Ａ）は図１に示す燃料電池モジュールのＡ−Ａ断面図であり、（Ｂ）は図１に示す燃料電池モジュールのＢ−Ｂ断面図である。
【図３】図１に示す燃料電池モジュールに適用される低温域熱交換器の構成の一例を示す図解図である。
【図４】図１に示す燃料電池モジュールに適用される高温域熱交換器の構成の一例を示す図解図である。
【図５】図１に示す燃料電池モジュールに適用される燃料電池スタックの一例を示す斜視図である。
【図６】図５に示す燃料電池スタックの一部を分解した状態を示す分解図である。
【図７】他の実施例の燃料電池モジュールの構成を示す平面図である。
【図８】その他の実施例の燃料電池モジュールの構成を示す平面図である。
【図９】さらにその他の実施例の燃料電池モジュールの構成を示す平面図である。
【図１０】図９に示す燃料電池モジュールに適用される低温域熱交換器の外観を示す斜視図である。
【図１１】（Ａ）は図１０に示す低温域熱交換器の外層ユニットの構成の一例を示す図解図であり、（Ｂ）は図１０に示す低温域熱交換器の内装ユニットの構成の一例を示す図解図である。
【図１２】他の実施例に適用される燃料電池スタックの一部を分解した状態を示す分解図である。
【図１３】その他の実施例の燃料電池モジュールの構成を示す平面図である。
【発明を実施するための形態】
【００１７】  図１，図２（Ａ）および図２（Ｂ）を参照して、この実施例の燃料電池モジュール１０は、固体酸化物形（ＳＯＦＣ形）の燃料電池モジュールであり、断熱性（＝熱伝導率が低い性質）を有して直方体をなすハウジング１２を含む。ハウジング１２の内側には、燃焼室ＲＭが形成される。ハウジング１２にはまた、その外部から燃焼室ＲＭに達する貫通孔ＨＬ１〜ＨＬ４が形成される。
【００１８】  この実施例では、ハウジング１２をなす直方体の幅方向，奥行き方向および高さ方向にＸ軸，Ｙ軸およびＺ軸を割り当てる。すると、貫通孔ＨＬ１はＹ軸方向の正側を向く側面に形成され、貫通孔ＨＬ２およびＨＬ３はＸ軸方向の負側を向く側面に形成され、貫通孔ＨＬ４はＹ軸方向の負側を向く側面に形成される。
【００１９】  貫通孔ＨＬ１には空気（有酸素ガス）を取り込むためのパイプ１４が挿入され、貫通孔ＨＬ２にはメタンガス（燃料ガス）を取り込むためのパイプ２４が挿入される。また、貫通孔ＨＬ３には改質用水を取り込むためのパイプ２６が挿入され、貫通孔ＨＬ４には排ガス（燃焼ガス）を排出するためのパイプ３８が設けられる。
【００２０】  パイプ１４の一方端はハウジング１２の外側に突出し、パイプ１４の他方端はハウジング１２の内側（＝燃焼室ＲＭ側）に突出する。また、パイプ２４の一方端はハウジング１２の外側に突出し、パイプ２４の他方端はハウジング１２の内側に突出する。さらに、パイプ２６の一方端はハウジング１２の外側に突出し、パイプ２６の他方端はハウジング１２の内側に突出する。また、パイプ３８の一方端はハウジング１２の外側に突出し、パイプ３８の他方端はハウジング１２の内側に突出する。
【００２１】  燃焼室ＲＭには、低温域熱交換器１６，高温域熱交換器２０，気化器２８，改質器３０および燃料電池スタック３４が設けられる。図２（Ａ）〜図２（Ｂ）から分かるように、燃焼電池スタック３４は、ベース３６によって支持される。
【００２２】  パイプ１４の他方端は低温域熱交換器３０の給気孔に接続され、パイプ２４の他方端は改質器３０の吸気孔に接続され、パイプ２６の他方端は気化器２８の給水孔に接続される。また、低温熱交換器１６の排気孔は高温域熱交換器２０の吸気孔にパイプ１８によって接続され、高温域熱交換器２０の排気孔は燃料電池スタック３４に設けられた空気用の吸気孔にパイプ２２によって接続される。さらに、気化器２８の排気孔はパイプ２４の長さ方向略中央の位置でパイプ２４と接続され、改質器３０の排気孔は燃料電池スタック３４に設けられた水素ガス用の吸気孔にパイプ３２によって接続される。
【００２３】  低温域熱交換器１６は、Ｙ軸方向の負側を向くハウジング１２の内壁に沿って設けられ、パイプ１４によって取り込まれた空気に燃焼室ＲＭの熱を伝える。空気の温度は、燃焼室ＲＭの温度（＝約４００℃）付近まで上昇する。高温域熱交換器２０は、燃料電池スタック３４の近傍に設けられ、パイプ１８を経て供給された空気に燃料電池スタック３４の輻射熱を伝える。空気の温度は、燃料電池スタック３４の動作温度（＝約７５０℃）付近まで上昇する。
【００２４】  なお、燃料電池スタック３４と低温域熱交換器１６との間には改質器３０が設けられ、燃料電池スタック３４の輻射熱の低温域熱交換器１６への伝播は改質器３０によって遮られる。
【００２５】  気化器２８は、Ｘ軸方向の正側を向くハウジング１２の内壁に沿って設けられ、パイプ２６によって取り込まれた改質用水を気化する。気化器２８と燃料電池スタック３４との間には高温域熱交換器２０が設けられ、燃料電池スタック３４の輻射熱の気化器２８への伝播は高温域熱交換器２０によって遮られる。したがって、気化には、燃焼室ＲＭの熱が利用される。
【００２６】  気化器２８によって発生した水蒸気は、パイプ２４によって取り込まれたメタンガスとともに改質器３０に供給される。改質器３０では、メタンガスおよび水蒸気が化学式１および２によって水素ガスおよび炭酸ガスに変換される。ここで、改質器３０の反応は吸熱反応であり、改質器３０は燃焼室ＲＭの熱および燃料電池スタック３４の輻射熱を利用して改質を行う。［化１］ＣＨ４＋Ｈ２Ｏ→３Ｈ２＋ＣＯ［化２］ＣＯ＋Ｈ２Ｏ→Ｈ２＋ＣＯ２
【００２７】  高温域熱交換器２０から排気された空気は、パイプ２２を経た後、燃料電池スタック３４の下側から燃料電池スタック３４に供給される。また、改質器３０によって発生した水素ガスは、パイプ３２を経た後、燃料電池スタック３４の下側から燃料電池スタック３４に供給される。
【００２８】  燃料電池スタック３４の空気極および燃料極では、化学式３および４に従う化学反応が生じる。この結果、燃料電池スタック３４をなす２つの最外層に、プラス電圧およびマイナス電圧がそれぞれ発生する。なお、燃料電池スタック３４の構造については後述する。また、燃料電池スタック３４で発生したプラス電圧およびマイナス電圧は、図示しない端子を経て出力される。［化３］１／２Ｏ２＋２ｅ−→Ｏ２−［化４］Ｈ２＋Ｏ２−→Ｈ２Ｏ＋２ｅ−
【００２９】  化学式３および４に従う化学反応によって消費されなかった空気および水素ガスは、燃焼電池スタック３４の外部に排出される。ただし、燃料電池スタック３４は約７５０℃で動作し、燃焼室ＲＭは約４００℃の温度を示すため、排出された空気および水素ガスは燃料電池スタック３４の近傍で燃焼される。この燃焼によって、燃料電池スタック３４の動作温度が確保され、さらに低温域熱交換器１６，気化器２８および改質器３０が上述した所望の機能を奏する。また、空気および水素ガスの燃焼によって生じた排ガスは、パイプ３８を経てハウジング１２の外部に排出される。
【００３０】  図３を参照して、低温域熱交換器１６は、直方体状のケース１６ｃｓとその内部に設けられた伝熱管１６ｐとを有する。伝熱管１６ｐは、Ｘ軸方向に蛇行しながらＺ軸方向に延びる。伝熱管１６ｐの一方端はＸ軸方向における正側でかつＺ軸方向における負側の位置に設けられ、伝熱管１６ｐの他方端はＸ軸方向における負側でかつＺ軸方向における正側の位置に設けられる。また、伝熱管１６ｐの一方端が吸気孔に相当し、伝熱管１６ｐの他方端が排気孔に相当する。伝熱管１６ｐは燃焼室ＲＭの熱によって温められるため、吸気孔から取り込まれた空気の温度は伝熱管１６ｐを通る過程で約４００℃付近まで上昇する。
【００３１】  図４を参照して、高温域熱交換器２０は、直方体状のケース２０ｃｓとその内部に設けられた伝熱管２０ｐとを有する。伝熱管２０ｐは、Ｙ軸方向に蛇行しながらＺ軸方向に延びる。伝熱管２０ｐの一方端はＹ軸方向およびＺ軸方向の各々における正側の位置に設けられ、伝熱管２０ｐの他方端はＹ軸方向における中央でかつＺ軸方向における負側の位置に設けられる。また、伝熱管２０ｐの一方端が吸気孔に相当し、伝熱管２０ｐの他方端が排気孔に相当する。伝熱管２０ｐは燃焼電池スタック３４の輻射熱によって温められるため、吸気孔から取り込まれた空気の温度は伝熱管２０ｐを通る過程で約７５０℃付近にまで上昇する。
【００３２】  なお、図５および図６に示すように、燃料電池スタック３４は、Ｚ軸方向に積層された複数の燃料電池セル３４ｃｌ，３４ｃｌ，…と、最上位の燃料電池セル３４ｃｌに積層されたエンドプレート３４ｅｐとによって構成される。
【００３３】  以上の説明から分かるように、改質器３０は、水蒸気を用いてメタンガスを水素ガスに改質する。燃料電池スタック３４は、改質器３０によって改質された水素ガスと空気とに基づいて電力を発生する。燃料電池スタック３４から排出された水素ガスおよび空気に基づく燃焼ガスつまり排ガスの熱は、低温域熱交換器１６によって空気に伝えられる。また、燃料電池スタック３４の輻射熱は、低温域熱交換器１６の後段に設けられた高温域熱交換器２０によって空気に伝えられる。
【００３４】  このように、低温域熱交換器１６は排ガスの熱を利用する一方、高温域熱交換器２０は燃料電池スタック３４の輻射熱を利用する。また、高温域熱交換器２０は低温域熱交換器１６の後段に設けられる。つまり、低温域熱交換器１６は、燃料電池スタック３４の輻射熱の影響が小さい場所に配置され、低温域で熱交換を行う。これに対して、高温域熱交換機２０は、燃料電池スタック３４の輻射熱の影響が大きい場所に配置され、高温域で熱交換を行う。
【００３５】  低温域熱交換器１６を燃料電池スタック３４の輻射熱の影響が小さい場所に配置することで、燃料電池スタック３４から必要以上に熱が奪われる現象、或いは燃料電池スタック３４内の温度分布が拡大する現象が抑えられる。また、高温域熱交換器２０を燃料電池スタック３４の輻射熱の影響が大きい場所に配置することで、燃料電池スタック３４の動作温度と空気の温度との差が縮められる。これによって、燃料電池スタック３４の動作温度を確保することができる。さらに、低温域の熱交換に排ガスを利用することで、燃料電池スタック３４から発生した熱の損失を抑制することができる。
【００３６】  なお、図１に示す燃料電池モジュール１０では、低温域熱交換器１６と燃料電池スタック３４との間に改質器３０を配置し、燃料電池スタック３４の輻射熱の低温域熱交換器１６への伝播を改質器３０によって遮るようにしている。ここで、図７に示すように改質器３０または高温域熱交換器２０と低温域熱交換器１６との間に断熱性の壁材４０を配置するようにすれば、低温域熱交換器１６への輻射熱の伝播がさらに遮られる。
【００３７】  この結果、低温域熱交換器１６によって燃料電池スタック３４の動作温度が低下する現象、或いは低温域熱交換器１６によって燃料電池スタック３４の動作温度がばらつく現象を低減することができる。なお、この場合は、パイプ１８を通すための貫通孔ＨＬ５が板材４０に形成される。
【００３８】  また、図１に示す燃料電池モジュール１０では低温域熱交換器１６をハウジング１２の内側つまり燃焼室ＲＭに設けるようにしているが、低温域熱交換器１６は図８に示すようにハウジング１２の外側に設けるようにしてもよい。この場合、低温域熱交換器１６はハウジング１２の外壁に接するように設けられ、パイプ１８は貫通孔ＨＬ１を経て低温域熱交換器１６と接続される。燃焼室ＲＭの熱は、ハウジング１２を経て低温域熱交換器１６に伝播される。
【００３９】  この結果、低温域熱交換器１６によって燃料電池スタック３４の動作温度が低下する現象、或いは低温域熱交換器１６によって燃料電池スタック３４の動作温度がばらつく現象をさらに低減することができる。
【００４０】  さらに、図８に示す燃料電池モジュール１０では、排ガスはパイプ３８を経てそのままハウジング１２の外部に排出される。しかし、図９に示すようにパイプ３８の他方端を低温域熱交換器１６に接続し、低温域熱交換器１６に取り込まれた空気を排ガスによって温めるようにしてもよい。
【００４１】  この場合、低温域熱交換器１６は、好ましくは空気が取り込まれる外層ユニット１６ａと排ガスが取り込まれる内層ユニット１６ｂとによって構成される（図１０参照）。外層ユニット１６ａおよび内層ユニット１６ｂはいずれも直方体をなす。また、外層ユニット１６ａの主面はＹ軸方向の正側または負側を向き、内層ユニット１６ｂの主面もＹ軸方向の正側または負側を向く。さらに、外層ユニット１６ａおよび内層ユニット１６ｂは、外層ユニット１６ａがＹ軸方向における正側に位置しかつ内層ユニット１６ｂがＹ軸方向における負側に位置するように、Ｙ軸方向に積層される。
【００４２】  図１１（Ａ）を参照して、外層ユニット１６ａは、直方体状のケース１６ｃｓ１とその内部に設けられた伝熱管１６ｐ１とを有する。伝熱管１６ｐ１は、Ｘ軸方向に蛇行しながらＺ軸方向に延びる。伝熱管１６ｐ１の一方端はＸ軸方向における正側でかつＺ軸方向における負側の位置に設けられ、伝熱管１６ｐ１の他方端はＸ軸方向における負側でかつＺ軸方向における正側の位置に設けられる。また、伝熱管１６ｐ１の一方端が吸気孔に相当し、伝熱管１６ｐ１の他方端が排気孔に相当する。
【００４３】  図１１（Ｂ）を参照して、内層ユニット１６ｂは、直方体状のケース１６ｃｓ２とその内部に設けられた伝熱管１６ｐ２とを有する。伝熱管１６ｐ２もまた、Ｘ軸方向に蛇行しながらＺ軸方向に延びる。伝熱管１６ｐ２の一方端はＸ軸方向における負側でかつＺ軸方向における正側の位置に設けられ、伝熱管１６ｐ２の他方端はＸ軸方向における正側でかつＺ軸方向における負側の位置に設けられる。また、伝熱管１６ｐ２の一方端が吸気孔に相当し、伝熱管１６ｐ２の他方端が排気孔に相当する。
【００４４】  伝熱管１６ｐ２の吸気孔から取り込まれた排ガスの熱は伝熱管１６ｐ１の吸気孔から取り込まれた空気に伝えられ、空気の温度は約４００℃付近にまで上昇する。排ガスの熱によって空気を温めることで、燃料電池モジュール１０の全体の熱損失を低減することができる。
【００４５】  また、低温域熱交換器１６はＹ軸方向の正側を向くハウジング１２の側面に設けられるため、排ガスが通る内層ユニット１６ｂは空気が通る外層ユニット１６ａよりもハウジング１２側に配置される。この結果、燃料電池モジュール１０の最外層の温度を下げることができる。換言すれば、燃料電池モジュール１０の表面からの放熱量を抑制することができる。
【００４６】  なお、上述のいずれの実施例においても、燃料電池スタック３４と低温域熱交換器１６との間には改質器３０が設けられ、燃料電池スタック３４の輻射熱の低温域熱交換器１６への伝播は改質器３０によって遮られる。しかし、燃料電池スタック３４と低温域熱交換器１６との間に高温域熱交換器２０を設け、燃料電池スタック３４の輻射熱の低温域熱交換器１６への伝播を高温域熱交換器２０によって遮るようにしてもよい。
【００４７】  また、この実施例では、排ガスの熱および燃料電池スタックの輻射熱によって空気を温めるようにしている。しかし、排ガスの熱および／または燃料電池スタックの輻射熱によってメタンガスを追加的に温めるようにしてもよい。この場合、パイプ２４の他方端は、低温域熱交換器１６および／または高温域熱交換器２０を経て改質器３０に接続される。
【００４８】  さらに、この実施例の燃料電池スタック３４では、空気用の貫通孔と水素ガス用の貫通孔とがＺ軸方向から眺めて略Ｌ字を描く（図６参照）。しかし、燃料電池スタック３４としては、図１２に示すように、空気用の貫通孔および水素ガス用の貫通孔が略十字を描くものを採用してもよい。
【００４９】  さらに、この実施例では、燃焼室ＲＭには単一の燃料電池スタック３４が収納される。しかし、複数の燃料電池スタック３４，３４，…を燃焼室ＲＭに収納するようにしてもよい。この場合、燃料電池モジュール１０は、たとえば図１３に示すように構成される。
【符号の説明】
【００５０】  １０  …燃料電池モジュール  １２  …ハウジング  １６  …低温域熱交換器（第１熱交換器）  ２０  …高温域熱交換器（第２熱交換器）  ２８  …気化器  ３０  …改質器  ３４  …燃料電池スタック 
【図１】
2015068479.tif 000003
【図２】
2015068479.tif 000004
【図３】
2015068479.tif 000005
【図４】
2015068479.tif 000006
【図５】
2015068479.tif 000007
【図６】
2015068479.tif 000008
【図７】
2015068479.tif 000009
【図８】
2015068479.tif 000010
【図９】
2015068479.tif 000011
【図１０】
2015068479.tif 000012
【図１１】
2015068479.tif 000013
【図１２】
2015068479.tif 000014
【図１３】
2015068479.tif 000015
【国際調査報告】
2015068479.tif 000016
2015068479.tif 000017
2015068479.tif 000018
2015068479.tif 000019